(57)【要約】      （修正有）【課題】画像データを格納可能な画像形成装置において、画像データの格納位置情報の保存における堅牢性・柔軟性を提供する。【解決手段】第１記憶媒体に対して画像データを記憶する記憶手段と、第１記憶媒体における画像データの記憶位置情報と該画像データの識別情報とを関連づけて、第１記憶媒体とは異なる持ち運び可能な第２記憶媒体に格納する格納手段と、第２記憶媒体に格納された識別情報を表示する表示手段と、表示手段により表示された識別情報の何れかを指定した読出指示を入力する入力手段と、読出指示によって指定された識別情報に関連づけられた記憶位置情報を第２記憶媒体から読出し、更に読出した記憶位置情報に基づいて第１記憶媒体から画像データを読出す読出手段と、読出手段で読出した画像データに基づいて記録材に対して画像形成を行う画像形成手段と、を備えることにより画像データ格納場所の情報の保存における堅牢性・柔軟性を提供する。【選択図】図１
2006101445.tif 000002
【特許請求の範囲】
【請求項１】
画像データに基づいて記録材上に画像形成を行う画像形成装置であって、
第１記憶媒体に対して画像データを記憶する記憶手段と、
前記第１記憶媒体における画像データの記憶位置情報と該画像データの識別情報とを関連づけて、前記第１記憶媒体とは異なる持ち運び可能な第２記憶媒体に格納する格納手段と、
前記第２記憶媒体に格納された前記識別情報を表示する表示手段と、
前記表示手段により表示された前記識別情報の何れかを指定した読出指示を入力する入力手段と、
前記読出指示によって指定された前記識別情報に関連づけられた前記記憶位置情報を前記第２記憶媒体から読出し、更に読出した前記記憶位置情報に基づいて前記第１記憶媒体から前記画像データを読出す読出手段と、
前記読出手段で読出した前記画像データに基づいて記録材に対して画像形成を行う画像形成手段と、
を備えることを特徴とする画像形成装置。
【請求項２】
画像データに基づいて記録材上に画像形成を行う画像形成装置であって、
第１記憶媒体に対して画像データを記憶する記憶手段と、
前記第１記憶媒体における画像データの記憶位置情報を、前記第１記憶媒体とは異なる持ち運び可能な第２記憶媒体に格納する格納手段と、
前記第２記憶媒体に格納された前記記憶位置情報に基づいて前記第１記憶媒体から前記画像データを読出し、更に読出した前記画像データの識別情報を表示する表示手段と、
前記表示手段により表示された前記識別情報の何れかを指定した読出指示を入力する入力手段と、
前記読出指示によって指定された前記識別情報に関連づけられた前記画像データを読出す読出手段と、
前記読出手段で読出した前記画像データに基づいて記録材に対して画像形成を行う画像形成手段と、
を備えることを特徴とする画像形成装置。
【請求項３】
前記格納手段は、前記識別情報として、前記画像データが示す画像を縮小した縮小画像データを前記記憶位置情報と関連づけて格納することを特徴とする請求項１または２に記載の画像形成装置。
【請求項４】
前記表示手段は、前記第２記憶媒体から前記識別情報を読みだし可能となった状態で、自動的に前記識別情報を読みだし、表示することを特徴とする請求項１乃至３のいずれかに記載の画像形成装置。
【請求項５】
画像データに基づいて記録材上に画像形成を行う画像形成装置の制御方法であって、
第１記憶媒体に対して画像データを記憶する記憶工程と、
前記第１記憶媒体における画像データの記憶位置情報と該画像データの識別情報とを関連づけて、前記第１記憶媒体とは異なる持ち運び可能な第２記憶媒体に格納する格納工程と、
前記第２記憶媒体に格納された前記識別情報を表示する表示工程と、
表示された前記識別情報の何れかを指定した読出指示を入力する入力工程と、
前記読出指示によって指定された前記識別情報に関連づけられた前記記憶位置情報を前記第２記憶媒体から読出し、更に読出した前記記憶位置情報に基づいて前記第１記憶媒体から前記画像データを読出す読出工程と、
前記読出工程で読出した前記画像データに基づいて記録材に対して画像形成を行う画像形成工程と、
を含むことを特徴とする画像形成装置の制御方法。
【請求項６】
画像データに基づいて記録材上に画像形成を行う画像形成装置の制御方法であって、
第１記憶媒体に対して画像データを記憶する記憶工程と、
前記第１記憶媒体における画像データの記憶位置情報を、前記第１記憶媒体とは異なる持ち運び可能な第２記憶媒体に格納する格納工程と、
前記第２記憶媒体に格納された前記記憶位置情報に基づいて前記第１記憶媒体から前記画像データを読出し、更に読出した前記画像データの識別情報を表示する表示工程と、
表示された前記識別情報の何れかを指定した読出指示を入力する入力工程と、
前記読出指示によって指定された前記識別情報に関連づけられた前記画像データを読出す読出工程と、
前記読出工程で読出した前記画像データに基づいて記録材に対して画像形成を行う画像形成工程と、
を備えることを特徴とする画像形成装置の制御方法。
【請求項７】
画像データに基づいて記録材上に画像形成を行う画像形成装置の制御プログラムであって、
前記画像形成装置のプロセッサに、
第１記憶媒体に対して画像データを記憶する記憶工程と、
前記第１記憶媒体における画像データの記憶位置情報と該画像データの識別情報とを関連づけて、前記第１記憶媒体とは異なる持ち運び可能な第２記憶媒体に格納する格納工程と、
前記第２記憶媒体に格納された前記識別情報を表示する表示工程と、
表示された前記識別情報の何れかを指定した読出指示を入力する入力工程と、
前記読出指示によって指定された前記識別情報に関連づけられた前記記憶位置情報を前記第２記憶媒体から読出し、更に読出した前記記憶位置情報に基づいて前記第１記憶媒体から前記画像データを読出す読出工程と、
前記読出工程で読出した前記画像データに基づいて記録材に対して画像形成を行う画像形成工程と、
を実行させることを特徴とする制御プログラム。
【請求項８】
画像データに基づいて記録材上に画像形成を行う画像形成装置の制御プログラムであって、
前記画像形成装置のプロセッサに、
第１記憶媒体に対して画像データを記憶する記憶工程と、
前記第１記憶媒体における画像データの記憶位置情報を、前記第１記憶媒体とは異なる持ち運び可能な第２記憶媒体に格納する格納工程と、
前記第２記憶媒体に格納された前記記憶位置情報に基づいて前記第１記憶媒体から前記画像データを読出し、更に読出した前記画像データの識別情報を表示する表示工程と、
表示された前記識別情報の何れかを指定した読出指示を入力する入力工程と、
前記読出指示によって指定された前記識別情報に関連づけられた前記画像データを読出す読出工程と、
前記読出工程で読出した前記画像データに基づいて記録材に対して画像形成を行う画像形成工程と、
を実行させることを特徴とする制御プログラム。
【請求項９】
原稿上の画像を読み取る画像読取装置と画像データに基づいて記録材上に画像形成を行う画像形成装置とを有する画像形成システムにおいて、
前記画像読取装置は、
画像を読み取り、該画像に応じた画像データを生成する読取手段と、
前記読取手段で生成した画像データを第１記憶媒体の所定の記憶位置に記憶する記憶手段と、
前記記憶手段で記憶した画像データが示す画像の少なくとも１ページの縮小画像を生成する生成手段と、
前記記憶手段で画像データを記憶した記憶位置を表す記憶位置情報と前記生成手段で生成した縮小画像とを関連づけて、前記第１記憶媒体とは異なる持ち運び可能な第２記憶媒体に格納する格納手段とを備え、
前記画像形成装置は、
前記第２記憶媒体に格納された前記縮小画像を表示する表示手段と、
前記表示手段により表示された前記縮小画像に対応した画像データの読出指示を入力する入力手段と、
前記読出指示に応じて前記縮小画像に関連づけられた前記記憶位置情報を前記第２記憶媒体から読出し、更に読出した前記記憶位置情報に基づいて前記第１記憶媒体から前記画像データを読出す読出手段と、
前記読出手段で読出した前記画像データに基づいて記録材に対して画像形成を行う画像形成手段と、
を備えることを特徴とする画像形成システム。
【請求項１０】
原稿上の画像を読み取る画像読取装置と画像データに基づいて記録材上に画像形成を行う画像形成装置とを有する画像形成システムの制御方法であって、
前記画像読取装置において、
画像を読み取り、該画像に応じた画像データを生成し、
前記生成した画像データを第１記憶媒体の所定の記憶位置に記憶し、
前記記憶した画像データが示す画像の少なくとも１ページの縮小画像を生成し、
前記画像データを記憶した記憶位置を表す記憶位置情報と前記生成した縮小画像とを関連づけて、前記第１記憶媒体とは異なる持ち運び可能な第２記憶媒体に格納し、
前記画像形成装置において、
前記第２記憶媒体に格納された前記縮小画像を表示し、
前記表示された前記縮小画像に対応した画像データの読出指示を入力し、
前記読出指示に応じて前記縮小画像に関連づけられた前記記憶位置情報を前記第２記憶媒体から読出し、更に読出した前記記憶位置情報に基づいて前記第１記憶媒体から前記画像データを読出し、
前記読出した前記画像データに基づいて記録材に対して画像形成を行うことを特徴とする画像形成システムの制御方法。
【発明の詳細な説明】
【技術分野】
【０００１】
本発明は、画像データに基づいて記録材上に画像形成を行う画像形成装置、その制御方法およびプログラム、原稿上の画像を読み取る画像読取装置と画像形成装置とを有する画像形成システム、その制御方法に関するものである。
【背景技術】
【０００２】
従来から、画像データに基づいて記録材上に画像形成を行う画像形成装置が知られている。そのような画像形成装置の一種として、画像データを格納するとともに、その格納位置情報をバーコードに符号化して印刷物の一部にプリントする複写機が特許文献１に開示されている。この複写機は、印刷物の一部にプリントされたバーコードをスキャナで読取ることによって、それに対応する画像データを読出しプリントする。
【特許文献１】特開平１０−３０８８６８号公報
【発明の開示】
【発明が解決しようとする課題】
【０００３】
しかしながら、上記従来技術では、所望の画像データを読み出せない場合があった。例えば、プリントされた印刷物からバーコードを読取ろうとしても、その印刷物に損傷があればバーコードの読取りをうまくできなかった。また、バーコード内に記録できる情報量には限りがあり利便性が悪かった。
【０００４】
本発明はかかる問題点に鑑みてなされたものであり、その目的とするところは、画像形成装置において、所望の画像データの読出し及びその出力を、確実かつ容易に行うことのできる技術を提供することにある。
【課題を解決するための手段】
【０００５】
第１記憶媒体に対して画像データを記憶する記憶手段と、
前記記憶媒体における画像データの記憶位置情報と該画像データの識別情報とを関連づけて、前記第１記憶媒体とは異なる持ち運び可能な第２記憶媒体に格納する格納手段と、
前記第２記憶媒体に格納された前記識別情報を表示する表示手段と、
前記表示手段により表示された前記識別情報の何れかを指定した読出指示を入力する入力手段と、
前記読出指示によって指定された前記識別情報に関連づけられた前記記憶位置情報を前記第２記憶媒体から読出し、更に読出した前記記憶位置情報に基づいて前記第１記憶媒体から前記画像データを読出す読出手段と、
前記読出手段で読出した前記画像データに基づいて記録材に対して画像形成を行う画像形成手段とを備える。
【発明の効果】
【０００６】
本発明によれば、所望の画像データの読出し及びその出力を、確実かつ容易に行うことのできる技術を提供することができる。
【発明を実施するための最良の形態】
【０００７】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【０００８】
（第１実施形態）
本発明に係る画像形成装置の第１実施形態として、デジタル複合機を例に挙げて以下に説明する。
【０００９】
＜装置構成＞
図１は、本実施形態に係る複合機の概略構成を示すブロック図である。図１に示すように、本実施形態に係る複合機は、画像形成部であるプリンタ１０１と、画像読取部であるスキャナ１０２と、装置全体の制御および画像データやデバイスに関する制御を行う制御部１０３と、制御部１０３に対する各種操作指示を入力する操作部１０４を含む。そして、この複合機は、スキャナ１０２で読取った画像データをプリンタ１０１で印刷するコピー機能や、ＬＡＮ１０５を介して外部から供給される画像データをプリンタ１０１で印刷するプリンタ機能や、公衆網１０６を介したファクシミリ機能などを実現する。
【００１０】
制御部１０３は、ＣＰＵ１１１を有し、ＲＯＭ１１３に格納されている起動プログラムに基づきシステムを起動すると共に、情報記憶部（例えばＨＤＤ）１４０内のプログラム格納領域１４１に格納されている各種制御プログラムを読み出してＲＡＭ１１２をワークエリアとして所定の処理を実行する。情報記憶部１４０は、上記各種プログラムが格納されるプログラム格納領域１４１の他、スキャナ１０２で読取った画像データを格納する画像データ格納領域１４２も備えている。外部記憶媒体１５０に情報を記憶するために利用される外部記憶媒体Ｉ／Ｆ１１７も備える。なお、図１においては、情報記憶部１４０がプログラム格納領域１４１と画像データ格納領域１４２とを含むように図示されているが、これらの格納領域が、それぞれ物理的に異なる記憶媒体であってもかまわない。例えば、画像データの格納領域が、複合機の外部に設けられた記憶媒体（例えば外付けのＨＤＤやネットワーク上のデータベースなど）に存在していてもよい。
【００１１】
また、ＲＩＰ（ラスタイメージプロセッサ）１２１は、ＰＤＬ（プリンタ記述言語）コードをビットマップイメージ（ラスタイメージ）に展開する。画像入出力デバイスであるスキャナ１０２やプリンタ１０１は画像データの同期系／非同期系の変換を行うデバイスＩ／Ｆ１２３を介して制御部１０３に接続されている。画像処理部１２２はＣＰＵ１１１からの命令に従い、スキャナで読取った入力画像データに対し補正（色変換等）、編集（圧縮・伸張・回転等）を行ったり、プリント出力画像データに対して、プリンタの補正、解像度変換などを行ったり、多値画像データに対してはＪＰＥＧ、二値画像データに対してＪＢＩＧ、ＭＭＲ、ＭＨの圧縮伸張処理を行ったりすることができる。また、入力画像データからサムネイル画像を生成する処理もこの画像処理部１２２で行うことができる。
【００１２】
なお、ＣＰＵ１１１、ＲＡＭ１１２、ＲＯＭ１１３、操作部Ｉ／Ｆ１１４、ＬＡＮＩ／Ｆ１１５、モデム１１６および情報記憶部１４０は、システムバス１１０を介して相互に接続されている。一方、ＲＩＰ１２１、デバイスＩ／Ｆ１２３、画像処理部１２２は画像バス１２０を介して相互に接続されている。さらに、システムバス１１０と画像バス１２０とは、データ構造を変換するバスブリッジ１３０を介して接続されている。
【００１３】
操作部１０４は、タッチパネルディスプレイ等で構成され、画像形成に関する各機能における現在の設定状態および各機能に関する設定情報を入力するための情報入力画面などを表示するための表示部、各機能に対する設定情報を入力する入力部（ボタンやタッチパネル等）を有する。
【００１４】
ＬＡＮＩ／Ｆ１１５は、ＬＡＮ１０５に接続され、ＬＡＮ１０５上の他の入出力機器（ＰＣ等）と情報の入出力を行う。モデム１１６は、公衆網１０６に接続され、ファクシミリ通信等で公衆網１０６を介した情報の入出力を行う。
【００１５】
制御部１０３内のＣＰＵ１１１は、制御プログラムに基づきシステムバス１１０に接続される各種デバイスを総括的に制御する。例えば、デバイスＩ／Ｆ１２３を介してスキャナ１０２から原稿画像を読み込み、生成した画像データに対して所定の処理を施した後に、該画像データをデバイスＩ／Ｆ１２３を介してプリンタ１０１に出力するなどの制御を行う。
【００１６】
＜装置の動作＞
次に、本実施形態に係る複合機の動作について以下に説明する。図２は、本複合機における動作の流れを模式的に表したフロー概念図である。図３２は、画像読み取り時の動作について説明するフローチャートである。
【００１７】
ステップＳ２０１では、操作部１０４における利用者による読取開始キーの入力を検知して、スキャナ１０２において原稿上の画像の読取りを行い、生成された画像データがＲＡＭ１１２に一時記憶される（図２の丸付き１）。
【００１８】
ステップＳ２０２は、ステップＳ２０１でＲＡＭ１１２に一時記憶された画像データを、画像データ格納領域１４２へ格納するか否かを利用者に操作部１０４を利用して選択させる。ステップＳ２０２において、格納しないことを利用者が選択した場合はＲＡＭ１１２上の画像データは破棄されフローは終了する。ステップＳ２０２において格納することを利用者が選択した場合は、画像データ格納領域１４２へ格納を行う（ステップＳ２０３）。
【００１９】
ステップＳ２０４では、格納位置情報を識別情報と共に外部記憶媒体１５０（メモリカード等）に記憶するか否かを利用者に操作部１０４を利用して選択させる。ステップＳ２０４において、記憶しないことを利用者が選択した場合、識別情報は破棄されフローは終了する。
【００２０】
ステップＳ２０５では、ステップＳ２０３において記憶した画像データの格納位置情報に関連させた識別情報として縮小画像を生成し、更に、ステップＳ２０６では、生成した縮小画像を格納位置情報と共に外部記憶媒体１５０（メモリカード等）に記憶を行い、処理を終了する（図２の丸付き２）。ここで生成する縮小画像は基本的には１ページ目の原稿画像の縮小画像とするが、操作者の指定により任意のページの縮小画像としてもよいし、複数ページの縮小画像とするようにしてもよい。なお、格納位置情報については、少なくとも本複合機を特定する情報（例えば、ＩＰアドレスや装置に固有に割り振られた番号等）、この複合機内での画像データ格納領域１４２内の記憶場所（例えば、メモリボックスの番号やメモリアドレスの開始位置等）、当該画像データを特定するためのファイル名を含むものとし、任意のデータ形式（ＵＲＬ形式の文字列やバイナリデータ）であって構わない。また、画像データの格納は画像データ格納領域１４２に限らず、ＬＡＮ１０５や公衆網１０６を介して接続された記憶装置であってもよい。そして、この図３の処理を繰り返し行うことにより、複数セットの原稿についての画像データの格納位置情報と識別情報とを順次外部記憶媒体１５０に記憶させることが可能である。
【００２１】
図４３は、格納された画像データを読出してプリントを行う場合の動作について説明するフローチャートである。
【００２２】
ステップＳ２１１では、外部記憶媒体１５０が外部記憶媒体Ｉ／Ｆ１１７に接続されている状態において、操作部１０４における利用者による読取開始キーの入力等をトリガに、外部記憶媒体Ｉ／Ｆ１１７を介して外部記憶媒体１５０内の識別情報をＲＡＭ上に読取る。なお、ここでは、読取開始キーの入力というトリガにより外部記憶媒体１５０内の識別情報の読取りを説明したが、外部記憶媒体１５０の接続をトリガに自動的に読取るように構成することも可能である。
【００２３】
ステップＳ２１２では、ＣＰＵ１１１はＲＡＭ１１２上の識別情報を元に対応する複数の画像ファイルの識別情報（ここでは縮小画像）を、例えばタッチパネルで構成された操作部１０４に一覧表示する（図２の丸付き３）。
【００２４】
ステップＳ２１３では、操作部１０４を構成するタッチパネルに表示された縮小画像の利用者による押下等により、印刷を行う縮小画像の選択をさせる（図２の丸付き４）。
【００２５】
ステップＳ２１４では、ＣＰＵ１１１は、選択された縮小画像に関連付けられている画像イメージの格納位置情報を導き出し、該当する画像データ格納領域１４２、あるいは他の記憶装置を検索する。ステップＳ２１４において画像データが存在しなかった場合はエラー警告を出力（ステップＳ２１８）し終了する。
【００２６】
ステップＳ２１５は、ステップＳ２１４において画像データが存在した場合、画像イメージの格納位置情報を媒体（紙等）に印刷するか否かを利用者に操作部１０４を利用して選択させる。ステップＳ２１５において、画像イメージの格納位置情報を印刷しないことを利用者が選択した場合は通常印刷のみ行われ（ステップＳ２１７）フローは終了する（図２の丸付き４）。ステップＳ２１５において、画像イメージの格納位置情報を印刷することを利用者が選択した場合は、通常印刷と共に格納位置情報（例えば、ＵＲＬのような文字列や１次元や２次元のバーコード画像の形式で）の印刷を行う（ステップＳ２１６）（図２の丸付き４）。なお、画像イメージの格納位置情報は任意の符号化方式により符号化されていても構わず、例えばバーコード画像として記録紙などに印刷してもよい。
【００２７】
なお、ステップＳ２０２で画像データの格納を選択し、ステップＳ２０４で識別情報の格納を選択しなかった場合、利用者は該当する画像ファイルを複合機本体内の固有のファイル名等を操作部上で直接選択し複写を行うことになる。
【００２８】
本実施形態においては、ステップＳ２０５において画像データの識別情報（縮小画像）を事前に生成し外部記憶媒体１５０（メモリカード等）に記憶し、ステップＳ２１１において外部記憶媒体１５０内の識別情報を読出しステップＳ２１１において識別情報の表示という動作で説明を行った。しかし他の形態として、画像読み取り時は識別情報を画像データと共に画像データ格納領域１４２、あるいは他の記憶装置へ格納し外部記憶媒体１５０へは格納位置情報のみを記憶し、プリント時には外部記憶媒体１５０内の格納位置情報を元に識別情報を読出し表示する形態や、画像読み取り時は外部記憶媒体１５０に格納位置情報のみを記憶し、プリント時には外部記憶媒体１５０内の格納位置情報を元に読出された画像データから識別情報を生成し表示する形態もある。
【００２９】
また、本実施形態では、識別情報として縮小画像を利用し説明したが、本発明はこれに限定されるものではない。例えば識別情報としてキーワードやファイル名等を用いたり、そのような文字情報と縮小画像とを組み合わせたりすれば、再印刷の際の画像データ選択おいてキーワード検索等による絞込みも可能となり、目的の画像データ選択の効率化が可能である。
また、本実施形態では、図３の処理と図４の処理とを同一の複合機で実行するようにしたが、これに限ることなく、図３の処理と図４の処理とは異なる装置（例えば、図３の処理をプリント機能を有さない画像読取装置、図４の処理をスキャナ機能を有さない画像印刷装置等）で実行するようにしてもよい。
【００３０】
以上説明したとおり本実施形態によれば、画像データの格納位置情報および縮小画像を外部記憶媒体１５０に記憶することにより、堅牢性・柔軟性を持たせることが可能となり、損傷による読取り問題、および、容量制限による保存可能データ数の制限からの回避が可能となり、格納された画像データの再印刷が容易となる。
【００３１】
（他の実施形態）
以上、本発明の実施形態について詳述したが、本発明は、複数の機器から構成されるシステムに適用しても良いし、また、一つの機器からなる装置に適用しても良い。
【００３２】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。
【００３３】
その場合、プログラムの機能を有していれば、オブジェクトコード、インタプリタにより実行されるプログラム、ＯＳに供給するスクリプトデータ等、プログラムの形態を問わない。
【００３４】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００３５】
その他、プログラムの供給方法としては、クライアントコンピュータのブラウザを用いてインターネットのホームページに接続し、ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００３６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００３７】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００３８】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００３９】
【図１】第１実施形態における装置構成図である。
【図２】第１実施形態のフロー概念図である。
【図３】第１実施形態における最初の画像読み取り時の動作フロー図である。
【図４】第１実施形態における格納された画像データを用い複写を行う場合の動作フロー図である。
【図１】
2006101445.tif 000003
【図２】
2006101445.tif 000004
【図３】
2006101445.tif 000005
【図４】
2006101445.tif 000006